(57)【要約】【課題】土台を越えて洗い場を拡張する場合に、拡張部分を元の洗い場と極力同じ高さに保って、拡張された洗い場を洗い場床として有効に利用することができる浴室の拡張構造をを提供する。【解決手段】建物の土台により区画された領域内に設けられた主浴室部から、上記土台を越えて拡張浴室部が延設される浴室の拡張構造において、上記土台に固定される固定部と、該固定部から上記拡張浴室部側に延出しその天端が上記土台天端より下方に配置された載置面とを有する支持ブラケットと、上記拡張浴室部の荷重を上記支持ブラケットの載置面に伝達する支持材とを備える。【選択図】  図２
2008208677.tif 000002
【特許請求の範囲】
【請求項１】
建物の土台により区画された領域内に設けられた主浴室部から、上記土台を越えて拡張浴室部が延設される浴室の拡張構造において、
上記土台に固定される固定部と、該固定部から上記拡張浴室部側に延出しその天端が上記土台天端より下方に配置された載置面とを有する支持ブラケットと、
上記拡張浴室部の荷重を上記支持ブラケットの載置面に伝達する支持材と、
を備えることを特徴とする浴室の拡張構造。
【請求項２】
前記支持ブラケットは、前記建物の土台の上面に取付固定されることを特徴とする請求項１記載の浴室の拡張構造。
【請求項３】
前記支持ブラケットは、前記建物の土台の側面に取付固定されることを特徴とする請求項１記載の浴室の拡張構造。
【請求項４】
前記支持ブラケットは、前記土台上に立設された建物の柱の側面に取付固定されることを特徴とする請求項２または３のいずれかに記載の浴室の拡張構造。
【請求項５】
前記支持ブラケットは、前記載置面が前記土台の長軸廻りに回動することを防止する捩れ防止材を備えることを特徴とする請求項２〜４のいずれかに記載の浴室の拡張構造。
【請求項６】
建物の梁及び桁により区画された領域内に設けられた主浴室部から、上記梁及び桁のいずれかを越えて拡張浴室部が延設される浴室の拡張構造において、
上記梁及び桁のいずれかに固定される固定部と、該固定部から上記拡張浴室部側に延出しその天端が上記梁及び桁のいずれかの天端より下方に配置された載置面とを有する支持ブラケットと、
上記拡張浴室部の荷重を上記支持ブラケットの載置面に伝達する支持材と、
を備えることを特徴とする浴室の拡張構造。
【発明の詳細な説明】
【技術分野】
【０００１】
本発明は、浴室の拡張構造に係り、特に浴室を区画する土台を越えて延設される浴室の拡張構造に関する。
【背景技術】
【０００２】
一般の戸建て住宅における浴室は、従来、旧度量衡法でいう１間×３／４間に敷設されたコンクリート製布基礎上に土台を横設し、この土台で区画された空間内に設けられることが通常であった。
【０００３】
この浴室は、外壁に面する１間を二分し、一方の半間に浴槽を据え付け、残り半間を洗い場に供する構成とされることが多かった。ここで採用される浴槽は、所謂和式と呼ばれるタイプのもので、深さがあるものの、腰から足先方向の長さが短く、膝を屈めて入浴するものであった。
【０００４】
このような浴室も老朽化し、リフォームが必要となってきている。このリフォームに際しては、生活様式の変化から、和式の浴槽を、深さは小さい一方、腰から足先方向の長さが長く、膝を伸ばして入浴することができる、所謂洋式或いは和洋折衷式に変更したいという要望が高い。
【０００５】
この要望に応えるには、外壁に直交する側の３／４間の長さでは足りず、浴室を、下に位置する土台を越えて、外壁側へ延出させて拡張する必要がある。
【０００６】
この問題を解決するものとして、建物の外壁に出窓を形成し、浴槽の、この出窓側短辺部に、土台の高さより高い腰掛け用のベンチ部を設けることにより、浴槽が土台と干渉することを回避しつつ、浴槽を外壁側へ延出させる一方、浴槽の延出部に隣接する延出された洗い場部分は、出窓のカウンターパネルとして、洗い場床面より高く形成するものがある（例えば、特許文献１参照。）。このカウンターパネルは、土台上に配置された高さ調節可能な支承部材により支承される。
【０００７】
また、浴槽の設置方向は異なるが、浴槽を土台の上方に配設させた例もある（例えば、特許文献２参照。）。この例では、浴槽が配置された床パンの裏側と、土台との間に支承部材としてのアジャスティングボルトが配設されている。
【０００８】
【特許文献１】特許第３６０６０２８号公報（図１，図３）
【特許文献２】特開２０００−２６５６９号公報（図１）
【発明の開示】
【発明が解決しようとする課題】
【０００９】
しかしながら、特許文献１に記載された浴室のように、洗い場の延出部をカウンターパネルとして構成したのでは、洗い場の一部として使用することができず、折角広げられた延出部を十分有効に利用しているとはいえない。また、土台上に支承部材を配置したのでは、これは支障となって洗い場と同じ高さとすることはできない。
【００１０】
特許文献２の場合のように、土台上に浴槽を支承する支承部材を配置すれば、浴槽の据え付け高さが高くなる。浴槽の据え付け高さが高くなると、入出浴時における浴槽の跨ぎ高さを大きくする、又は浴室と脱衣室間に段差を設ける等の対応をとらざるを得なくなるが、これは近年のバリアフリーの観念に反するものであって、採用するを得ない。
【００１１】
本発明は、上述した事情を考慮してなされたもので、土台を越えて洗い場を拡張する場合に、拡張部分を元の洗い場と極力同じ高さに保って、拡張された洗い場を洗い場床として有効に利用することができる浴室の拡張構造を提供することを目的とするものである。
【００１２】
本発明の他の目的は、土台を越えて浴槽を拡張する場合に、浴槽の据付高さを極力低く抑えて、浴槽の跨ぎ高さを大きくしたり、浴室と脱衣室との間に段差を設けたりする必要のない浴室の拡張構造を提供することにある。
【課題を解決するための手段】
【００１３】
本発明に係る浴室の拡張構造は、上述した課題を解決するために、請求項１に記載したように、建物の土台により区画された領域内に設けられた主浴室部から、上記土台を越えて拡張浴室部が延設される浴室の拡張構造において、上記土台に固定される固定部と、該固定部から上記拡張浴室部側に延出しその天端が上記土台天端より下方に配置された載置面とを有する支持ブラケットと、上記拡張浴室部の荷重を上記支持ブラケットの載置面に伝達する支持材とを備えるものである。
【００１４】
前記支持ブラケットは、好適には、請求項２に記載したように、前記建物の土台の上面に取付固定することもできるし、請求項３に記載したように、前記建物の土台の側面に取付固定することもでき、また、請求項４に記載したように、前記土台上に立設された建物の柱の側面に取付固定してもよい。
【００１５】
さらに、前記支持ブラケットは、好適には、請求項５に記載したように、前記載置面が前記土台の長軸廻りに回動することを防止する捩れ防止材を備えることが望ましい。
【００１６】
他方、上述した課題を解決するために、請求項６に係る浴室の拡張構造は、建物の梁及び桁により区画された領域内に設けられた主浴室部から、上記梁及び桁のいずれかを越えて拡張浴室部が延設される浴室の拡張構造において、上記梁及び桁のいずれかに固定される固定部と、該固定部から上記拡張浴室部側に延出しその天端が上記梁及び桁のいずれかの天端より下方に配置された載置面とを有する支持ブラケットと、上記拡張浴室部の荷重を上記支持ブラケットの載置面に伝達する支持材とを備えるものである。
【発明の効果】
【００１７】
本発明に係る浴室の拡張構造によれば、土台を越えて洗い場を拡張する場合に、拡張部分を元の洗い場と極力同じ高さに保って、拡張された洗い場を洗い場床として有効に利用することができる。
【００１８】
また、本発明は、土台を越えて浴槽を拡張する場合に、浴槽の据付高さを極力低く抑えて、浴槽の跨ぎ高さを大きくしたり、浴室と脱衣室との間に段差を設けたりする必要がないという効果が得られる。
【発明を実施するための最良の形態】
【００１９】
本発明に係る浴室の拡張構造の実施の形態について、添付図面を参照して説明する。図１は、本発明に係る浴室の拡張構造を備える浴室ユニット１の平面図である。
【００２０】
浴室ユニット１は、元々、柱芯１８２０ｍｍ（６尺）×１３６５ｍｍ（４．５尺）の寸法で四周に敷設された土台Ｓにより囲繞された領域内に設けられた主浴室部１Ａに、外壁側に拡張された拡張浴室部１Ｂを追加するリフォームを施したものである。したがって、拡張浴室部１Ｂは、外壁側の土台Ｓを越えて延出している。そして、浴室ユニット１の外壁側の、腰部分を形成する壁パネル上部には、採光及び換気のために、出窓４が取り付けられている。
【００２１】
浴室ユニット１の、外壁に直交する壁面の一方に沿って、浴槽３が、主浴室部１Ａと拡張浴室部１Ｂとに亘って、据え付けられている。浴槽３の外壁側端部には、浴槽３の最低部より約１７０ｍｍ〜１８０ｍｍ高い位置に、略平坦部である半身浴ステップ３ａが設けられる。浴槽３に入浴者が半身浴する場合には、半身浴ステップ３ａに腰掛けて入浴する。また、半身浴ステップ３ａは、全身浴時の足置きとしても利用される。
【００２２】
このように、浴槽３は、その長さが拡張浴槽部１Ｂにまで伸ばされたので、入浴者は、リフォーム前のように膝を屈めた窮屈な姿勢を強制されることなく、膝を伸ばしてゆったりと入浴することが可能となる。
【００２３】
浴室ユニット１の浴槽３の残余の床面は、洗い場２が形成される。この洗い場２も、主浴室部１Ａと拡張浴室部１Ｂとに跨るものであるが、両者の間に段差が設けられない。これにより、拡張浴室部１Ｂにより増加した床面積をそっくり洗い場として利用できるので、例えば親子一緒に入浴する場合でも、伸び伸びと使用することができる。
【００２４】
図２は、図１に示されたＡ−Ａ矢視図、すなわち、洗い場２部分の拡張構造を示す断面図である。建物本体は、布基礎Ｆ上に敷設された土台Ｓと、土台Ｓ上に立設された柱Ｃとを備える。
【００２５】
他方、浴室ユニット１は、建物本体の床Ｄ上に据え付けられた架台９上に防水パン８を設置して洗い場２の床が形成される。防水パン８は、主浴室部１Ａから土台Ｓを越えて拡張浴室部Ｂまで、段差なく延出する。防水パン８の外端には壁パネル５が立設され、その上部には図示しない出窓４が取り付けられる。
【００２６】
防水パン８の主浴室部１Ａ部分に掛かる荷重は、架台９を介して建物床Ｄに伝達される。他方、拡張浴室部１Ｂ部分の荷重は、高さ調節可能な支持脚ボルト６に集中して受けられ、支持ボルト６下に配置された支持ブラケット７を介して外壁側土台Ｓに伝達される。
【００２７】
支持ブラケット７は、その固定部７ｂが土台Ｓ上に載置され、土台Ｓ天端にねじ止めされる。そして、支持脚ボルト６が載置される、支持ブラケット７の載置面７ａは、土台Ｓの天端より低い位置に設けられている。したがって、同図に示すように、防水パン８裏面と土台Ｓの天端との間の間隙を可能な限り小さくできるので、洗い場２の高さも低く抑えることができ、その結果、洗い場２と脱衣室との間に段差をなくすことが可能となる。
【００２８】
なお、この場合、拡張浴室部１Ｂの洗い場２の防水パン８が、本願発明の拡張浴室部を構成する。
【００２９】
図３は、図１に示されたＢ−Ｂ矢視図、すなわち、浴槽３部分の拡張構造を示す断面図である。建物本体の構造は、洗い場２部分と同じである。
【００３０】
浴槽３の下には、防水パン８が布設された、二重防水パン構造（フルパン構造）となっている。この二重防水パン構造では、架台９を介して床全面に布設された防水パン８上に浴槽３を載置し、壁パネル５も防水パン８外縁上に周設される。
【００３１】
したがって、防水パン８の主浴室部１Ａ部分に掛かる荷重は、洗い場２同様、架台９を介して建物床Ｄに伝達され、また、拡張浴室部１Ｂ部分の荷重も、洗い場２同様、高さ調節可能な支持脚ボルト６に集中して受けられ、支持ボルト６下に配置された支持ブラケット７を介して外壁側土台Ｓに伝達される。
【００３２】
主浴室部１Ａの防水パン８は、土台Ｓの天端よりも下まで下げられているので、浴槽３の最低部を洗い場２の水上レベル（ＳＢＦＬ）より低く設定できる。これにより、浴槽３からの入出時における跨ぎ高さを小さく抑えることができ、浴槽３への入出がより容易となる。
【００３３】
これに対し、浴室拡張部１Ｂ下の防水パン８は、土台Ｓとの干渉を回避すべく上方へ膨出して、洗い場２の防水パン８と略同じ高さになっている。しかしながら、浴室拡張部１Ｂ上には、浴槽３の最低部より一段高い半身浴ステップ３ａが位置するので、防水パン８と浴槽３とが干渉することも回避される。
【００３４】
浴槽３及び洗い場２の拡張浴室部１Ｂの荷重は、支持脚ボルト６に集中して受けられ、支持ボルト脚６下に配置された支持ブラケット７を介して外壁側土台Ｓに伝達される。
【００３５】
この浴槽３側の浴室拡張構造においても、洗い場２における浴室拡張構造と同じく、支持ブラケット７は、その固定部７ｂが土台Ｓ上に載置され、土台Ｓ天端にねじ止めされる。そして、支持脚ボルト６が載置される、支持ブラケット７の載置面７ａは、土台Ｓの天端より低い位置に設けられている。したがって、同図に示すように、防水パン８裏面と土台Ｓの天端との間の間隙を可能な限り小さくできる。
【００３６】
なお、この場合は、拡張浴室部１Ｂの浴槽３下の防水パン８が、本願発明の拡張浴室部を構成する。
【００３７】
また、図４に示すように、浴槽３の下に防水パン８を設けないハーフ構造とすることもできる。このハーフ構造は、洗い場付浴槽或いは洗い場一体型浴槽ともいわれ、架台９の上に洗い場２の床と浴槽３とを一体で形成するものである。
【００３８】
このようにハーフ構造を採用すれば、土台Ｓと浴槽３との間に防水パン８が介在しないので、浴槽３の高さをさらに下げることができる。したがって、浴槽３からの入出時における跨ぎ高さをさらに小さく抑えることができ、浴槽３への入出がより一層容易となる。
【００３９】
この場合、支持脚ボルト６は浴槽３に取り付けられた支持脚ロケット１０に螺嵌し、ナット１０を上下させることにより高さを調節する。ここでも、洗い場２における浴室拡張構造と同じく、支持ブラケット７は、その固定部７ｂが土台Ｓ上に載置され、土台Ｓ天端にねじ止めされる。そして、支持脚ボルト６が載置される、支持ブラケット７の載置面７ａは、土台Ｓの天端より低い位置に設けられている。したがって、同図に示すように、防水パン８裏面と土台Ｓの天端との間の間隙を、可能な限り小さくすることができる。
【００４０】
なお、この場合では、拡張浴室部１Ｂの浴槽３そのものが、本願発明の拡張浴室部を構成する。
【００４１】
図５に、支持ブラケット７の詳細を示す。支持ブラケット７は、支持脚ボルト６が載置される載置面７ａと、土台Ｓ上に載置される固定部７ｂとを備える。固定部７ｂにはねじ孔７ｄが穿設され、ねじにより土台Ｓ天端にねじ止めされる。
【００４２】
支持ブラケット７の載置面７ａは、上述したように、土台Ｓの天端より低い位置に設けられている。そして、載置面７ａに支持脚ボルト６が載置され防水パン８等の荷重が載荷された場合に、その重量によって載置面７ａが撓まないように、載置面７ａの両サイドはリブ７ｃにより補強されている。
【００４３】
次に、斯かる支持ブラケット７の、いくつかの変形例について、図を参照して説明する。図６に示す支持ブラケット７Ａは、固定部７ｂがさらに延伸されて、土台Ｓ裏面で折曲され、土台Ｓを挟み込むように形成される点で支持ブラケット７と相違する。そして、土台Ｓの天端ではなく、裏面において土台Ｓにねじ止めされるので、支持脚ボルト６に掛かる荷重が、支持ブラケット７Ａを介して、土台Ｓの中心軸から外れて載荷されることにより生じる土台Ｓの長軸廻りの捩れに対し、支持ブラケット７より大きな強度を有する。
【００４４】
図７（ａ）に示す支持ブラケット７Ｂは、載置面７ａの先端が下方に折曲延伸され、ボルト１１が二重ナット１２により支承される。この支持ブラケット７Ｂが浴室の拡張構造に取り付けられた状態を図７（ｂ）に示す。この状態では、ボルト１１のヘッドが土台Ｓ下の布基礎Ｆ側面に当設し、支持脚ボルト６に掛かる荷重により生じる、土台Ｓの長軸廻りの捩れに対抗するので、支持ブラケット７のリブ７ｃと同様の働きをする。この方法による捩れ対策は、コンクリート製の布基礎Ｆを利用するので、木製の土台Ｓが腐りかけて強度が落ちている場合等に、特に有効である。
【００４５】
図８に示す支持ブラケット７Ｃは、隣接する柱Ｃの側面に当設する垂直辺部７ｅを立ち上げ、これを柱Ｃにねじ止めすることにより、土台Ｓの長軸廻りの捩れに対抗するものである。
【００４６】
そして、図９に示す支持ブラケット７Ｄは、土台Ｓの長軸方向にある程度の長さを有しているので、載置面７ａに複数の支持脚ボルトを載置させることが可能である。
【００４７】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００４８】
例えば、上述した実施形態では、浴室の拡張構造が一般住宅の１階部分に用いられる場合を例にとって説明したが、図９に示すように、２階またはそれ以上の階に採用することも可能である。この場合、浴室ユニット１は、建物の梁Ｂや桁Ｇ等の上に据え付けられる点で、上述した実施形態と異なるが、その他の構成は異なるものではない。
【図面の簡単な説明】
【００４９】
【図１】本発明に係る浴室の拡張構造の実施形態を備える浴室の概要を示す平面図。
【図２】図１に示された浴室の洗い場部分の拡張構造を示す断面図。
【図３】図１に示された浴室の浴槽部分が二重パン構造の場合の拡張構造を示す断面図。
【図４】図１に示された浴室の浴槽部分がハーフ構造の場合の拡張構造を示す断面図。
【図５】支持ブラケットの斜視図。
【図６】支持ブラケットの第１の変形例を示す取付図。
【図７】支持ブラケットの第２の変形例を示す図で、（ａ）は斜視図、（ｂ）は取付図。
【図８】支持ブラケットの第３の変形例を示す斜視図。
【図９】支持ブラケットの第４の変形例を示す斜視図。
【図１０】本発明に係る浴室の拡張構造が２階に据え付けられた浴室に採用された場合を示す図。
【符号の説明】
【００５０】
１  浴室ユニット
１Ａ  主浴室部
１Ｂ  拡張浴室部
２  洗い場
３  浴槽，３ａ  半身浴ステップ，３ｂ  支持脚ロケット
４  出窓
５  壁パネル
６  支持脚ボルト
７，７Ａ，７Ｂ，７Ｃ，７Ｄ  支持ブラケット，７ａ  載置面，７ｂ  固定部，７ｃ  リブ，７ｄ  ねじ孔，７ｅ  垂直部
８  防水パン
９  架台
１０  ナット
１１  ボルト
１２  二重ナット
Ｂ  梁
Ｃ  柱
Ｄ  建築床
Ｆ  布基礎
Ｇ  桁
Ｓ  土台
【図１】
2008208677.tif 000003
【図２】
2008208677.tif 000004
【図３】
2008208677.tif 000005
【図４】
2008208677.tif 000006
【図５】
2008208677.tif 000007
【図６】
2008208677.tif 000008
【図７】
2008208677.tif 000009
【図８】
2008208677.tif 000010
【図９】
2008208677.tif 000011
【図１０】
2008208677.tif 000012